(57)【要約】【課題】  送り手の気持ちを十分に伝えるメッセージを出力し得る音楽再生装置を提供する。【解決手段】  音声を生成するための音声データを記憶するハードディスク３２と、携帯電話機５０により入力されたメッセージをそのハードディスク３２の音声データベース４６に記憶された音声データに基づいて読み上げる読上音声を生成する読上音声生成手段１００とを、含むことから、利用者が所望するメッセージを音声により出力させることができる。すなわち、送り手の気持ちを十分に伝えるメッセージを出力し得るカラオケ装置１０を提供することができる。【選択図】  図４
2005266441.tif 000002
【特許請求の範囲】
【請求項１】
複数の演奏曲のうちから選択された所望の演奏曲を出力させる音楽再生装置であって、
音声を生成するための音声データを記憶する記憶装置と、
所定の入力装置により入力されたメッセージを該記憶装置に記憶された音声データに基づいて読み上げる読上音声を生成する読上音声生成手段と
を、含むことを特徴とする音楽再生装置。
【請求項２】
前記読上音声生成手段により生成された読上音声の出力タイミングを指定するタイミング指定手段を含むものである請求項１の音楽再生装置。
【請求項３】
前記タイミング指定手段は、前記所定の入力装置により選択入力された演奏曲の曲前、曲間、及び曲後のうち何れかのタイミングで前記読上音声生成手段により生成された読上音声が出力されるようにその出力タイミングを指定するものである請求項２の音楽再生装置。
【請求項４】
前記所定の入力装置により入力されたメッセージの文字映像を生成する文字映像生成手段を含み、前記タイミング指定手段は、該文字映像生成手段により生成された文字映像の出力タイミングをも指定するものである請求項２又は３の音楽再生装置。
【請求項５】
前記タイミング指定手段は、前記読上音声生成手段により生成された読上音声及び文字映像生成手段により生成された文字映像が同期して出力されるようにそれらの出力タイミングを指定するものである請求項４の音楽再生装置。
【請求項６】
前記読上音声生成手段による読上音声の生成及び非生成を切り換え得るものである請求項１から５の何れかの音楽再生装置。
【請求項７】
前記所定の入力装置は、リモコン送信部を備えた携帯電話機であり、該リモコン送信部からリモコン信号により前記メッセージを送信し得るものである請求項１から６の何れかの音楽再生装置。
【発明の詳細な説明】
【技術分野】
【０００１】
本発明は、音楽再生装置において利用者が所望するメッセージを出力させるメッセージ出力機能の改良に関する。
【背景技術】
【０００２】
複数の演奏曲のうちから選択された所望の演奏曲を出力させる音楽再生装置が知られている。例えば、カラオケボックス等で使用されるカラオケ装置がそれである。斯かるカラオケ装置によれば、予め記憶装置に記憶された複数の演奏曲から選択された所望の演奏曲の音楽情報を出力させると共に、その演奏曲の歌詞情報を含む映像をその出力に同期して画面に表示させることで、所望の歌のカラオケ演奏を楽しむことができる。
【０００３】
ところで、上記カラオケ装置を用いて利用者が所望するメッセージを出力させるメッセージ出力システムが知られている。例えば、特許文献１に記載されたカラオケ端末を用いた情報配信システムがそれである。斯かる技術によれば、インターネット等の通信回線を介して利用者オリジナルのメッセージを所定のカラオケ装置に表示させることができ、複数のカラオケ装置の利用者間で互いにメッセージを交換し得るサービスを提供できる。
【０００４】
【特許文献１】特開２００３−９９０７２号公報
【０００５】
しかし、前記従来の技術において、前記カラオケ装置により出力されるメッセージは、文字映像及び画像を主体とするものであったことから、その表現には自ずと限界があった。また、文字映像及び画像と共に音楽を流すメッセージの出力も可能であったが、必ずしも送り手の気持ちを伝えるのに十分ではなかった。すなわち、送り手の気持ちを十分に伝えるメッセージを出力し得る音楽再生装置は、未だ開発されていないのが現状である。
【発明の開示】
【発明が解決しようとする課題】
【０００６】
本発明は、以上の事情を背景として為されたものであり、その目的とするところは、送り手の気持ちを十分に伝えるメッセージを出力し得る音楽再生装置を提供することにある。
【課題を解決するための手段】
【０００７】
斯かる目的を達成するために、本発明の要旨とするところは、複数の演奏曲のうちから選択された所望の演奏曲を出力させる音楽再生装置であって、音声を生成するための音声データを記憶する記憶装置と、所定の入力装置により入力されたメッセージをその記憶装置に記憶された音声データに基づいて読み上げる読上音声を生成する読上音声生成手段とを、含むことを特徴とするものである。
【発明の効果】
【０００８】
このようにすれば、音声を生成するための音声データを記憶する記憶装置と、所定の入力装置により入力されたメッセージをその記憶装置に記憶された音声データに基づいて読み上げる読上音声を生成する読上音声生成手段とを、含むことから、利用者が所望するメッセージを音声により出力させることができる。すなわち、送り手の気持ちを十分に伝えるメッセージを出力し得る音楽再生装置を提供することができる。
【０００９】
ここで、好適には、前記読上音声生成手段により生成された読上音声の出力タイミングを指定するタイミング指定手段を含むものである。このようにすれば、利用者が所望するタイミングでメッセージの読上音声を出力させることができ、更に好適に送り手の気持ちを伝えることができるという利点がある。
【００１０】
また、好適には、前記タイミング指定手段は、前記所定の入力装置により選択入力された演奏曲の曲前、曲間、及び曲後のうち何れかのタイミングで前記読上音声生成手段により生成された読上音声が出力されるようにその出力タイミングを指定するものである。このようにすれば、選択された演奏曲の出力に合わせてメッセージの読上音声を出力させることができ、更に好適に送り手の気持ちを伝えることができるという利点がある。
【００１１】
また、好適には、前記所定の入力装置により入力されたメッセージの文字映像を生成する文字映像生成手段を含み、前記タイミング指定手段は、その文字映像生成手段により生成された文字映像の出力タイミングをも指定するものである。このようにすれば、利用者が所望するタイミングでメッセージの文字映像を出力させることができ、更に好適に送り手の気持ちを伝えることができるという利点がある。
【００１２】
また、好適には、前記タイミング指定手段は、前記読上音声生成手段により生成された読上音声及び文字映像生成手段により生成された文字映像が同期して出力されるようにそれらの出力タイミングを指定するものである。このようにすれば、利用者が所望するタイミングでメッセージの読上音声及び文字映像を同期して出力させることができ、更に好適に送り手の気持ちを伝えることができるという利点がある。
【００１３】
また、好適には、前記読上音声生成手段による読上音声の生成及び非生成を切り換え得るものである。このようにすれば、利用者の所望に応じて文字映像のみによるメッセージを出力できるという利点がある。
【００１４】
また、好適には、前記所定の入力装置は、リモコン送信部を備えた携帯電話機であり、そのリモコン送信部からリモコン信号により前記メッセージを送信し得るものである。このようにすれば、利用者が使い慣れた携帯電話機により前記メッセージを入力できるという利点がある。
【実施例】
【００１５】
以下、本発明の好適な実施例を図面に基づいて詳細に説明する。
【００１６】
図１は、本発明の音楽再生装置の一実施例であるカラオケ装置１０の構成を説明するブロック線図である。このカラオケ装置１０は、ＣＲＴ等の映像表示装置１２と、ディスクプレーヤ１４と、ビデオミキサ１６と、アンプミキサ１８と、スピーカ２０と、マイクロフォン２２と、操作パネル２４と、中央演算処理装置であるＣＰＵ２６と、ＲＯＭ２８と、ＲＡＭ３０と、記憶装置であるハードディスク３２と、モデム３４と、ＣＲＴコントローラ３６と、上記操作パネル２４等からの入力信号を処理する入出力インターフェイス３８と、シンセサイザ４０と、所定の入力装置からのリモコン信号を受信するためのリモコン受信部４２とを、備えて構成されている。
【００１７】
上記ＣＰＵ２６は、上記ＲＡＭ３０の一時記憶機能を利用しつつ上記ＲＯＭ２８に予め記憶された所定のプログラムに基づいて電子情報を処理・制御する所謂コンピュータであり、所定のカラオケ演奏曲が選曲された場合、上記ハードディスク３２から上記ＲＡＭ３０に選曲されたカラオケ演奏曲の演奏情報及び歌詞情報等を読み出したり、カラオケ演奏曲の演奏が進行するのに応じてそのＲＡＭ３０から上記シンセサイザ４０へ演奏情報を送信したり、歌詞情報に基づいて歌詞文字映像を生成して上記ＣＲＴコントローラ３６へ送ったり、選曲時には曲名文字映像を生成して上記ＣＲＴコントローラ３６へ送ったり、上記ディスクプレーヤ１４を制御して所定の背景映像を再生させる等の基本的な制御に加えて、後述するメッセージ出力制御を実行する。
【００１８】
前記操作パネル２４は、前記カラオケ装置１０の利用者が歌いたいカラオケ演奏曲を選択したり、演奏曲の音程を調整したり、演奏と歌との音量バランスを調整したり、その他、エコー、音量、トーン等の各種調整を行うための操作釦（スイッチ）或いはツマミを備えた入力装置である。また、前記カラオケ装置１０には、前記操作パネル２４の一部機能を遠隔で実行するための遠隔操作装置として機能するリモコン４４が備えられており、前記リモコン受信部４２は、そのリモコン４４から送信されるリモコン信号を受信して前記中ＣＰＵ２６へ供給する。
【００１９】
前記ディスクプレーヤ１４は、利用者が歌詞を参照しながら歌を歌う際に前記映像表示装置１２に表示される背景映像を記憶したＣＤやＤＶＤを再生する背景映像再生装置である。また、前記ＣＲＴコントローラ３６は、前記ＣＰＵ２６において生成された歌詞文字映像等の文字映像（テロップ）を出力する文字映像出力装置であり、前記ビデオミキサ１６は、前記ＣＰＵ２６において生成され且つ前記ＣＲＴコントローラ３６から出力される文字映像と、前記ディスクプレーヤ１４により再生される背景映像とを合成して前記映像表示装置１２に表示させる映像合成装置である。
【００２０】
前記シンセサイザ４０は、前記ハードディスク３２から読み出されて送られて来るカラオケ演奏曲の演奏情報に基づいて楽器の演奏信号等の音楽信号を生成する音源である。この演奏情報は、例えば、ＭＩＤＩ（Musical Instrument Digital Interface）形式で圧縮されたＭＩＤＩデータであり、そのＭＩＤＩデータに応じて前記シンセサイザ４０により生成された音楽信号は、アナログ信号に変換されて前記アンプミキサ１８へ送られる。そのアンプミキサ１８では、送られてきた音楽信号と前記マイクロフォン２２を介して入力される利用者の歌声とがミキシングされ、それらの信号が電気的に増幅されて前記スピーカ２０から出力される。
【００２１】
前記ハードディスク３２には、選曲番号により識別される複数のカラオケ演奏曲それぞれのタイトル情報、演奏情報、及び歌詞情報等を記憶するカラオケデータベース４５と、音声を生成するための複数種類の音声データを記憶する音声データベース４６とが設けられている。一般に、人間の音声は、声帯の振動により発生させられる周期性の波形と、口腔内において発生する乱流による雑音性の波形とが、舌や歯等で形成される声道を通過することにより生成される。上記周期性の波形及び雑音性の波形がその声道を通過する際、その声道の伝達特性に応じた変形がなされて所定の音響特徴を有する音声が形成される。上記音声データベース４６に記憶される音声データは、例えば、音素を単位として所定人物の音声の音響特徴を反映したモデルであり、斯かる音声データに基づいてその所定人物の音声と可及的に近似した音響特徴を有する音声を生成することができる。
【００２２】
前記モデム３４は、前記カラオケ装置１０を公衆電話回線、有線放送用ケーブル、又は光ファイバ等による通信回線４６に接続するための装置である。カラオケボックス等の店舗にそれぞれ備えられた複数のカラオケ装置１０は、上記通信回線４６を介して図示しないカラオケサービス提供会社のホストサーバに接続されており、それら複数のカラオケ装置１０によって常に新しい曲が演奏可能とされるように、随時新曲のカラオケ情報等が上記通信回線４６を介してダウンロードされ、前記ハードディスク３２のカラオケデータベース４５等に記憶されるようになっている。すなわち、前記カラオケ装置１０は、電気通信回線を通じて各種情報の送受信を実行し得る通信カラオケ装置である。
【００２３】
図２は、前記リモコン４４と同様に前記カラオケ装置１０の入力装置（遠隔操作装置）として機能する携帯電話機５０の操作部５２を説明する図である。この図２に示すように、上記携帯電話機５０における折り畳まれることで相対向する１対の面には、入力釦（スイッチ）として機能する１２個の文字入力釦５４、開始釦５６、電源釦５８、左右上下の移動釦６０、メール釦６２、クリア釦６４、決定釦６６、及び映像表示装置として機能する表示部６８が設けられている。
【００２４】
上記文字入力釦５４は、所望の文字を入力するための釦であり、その文字入力釦５４が押されることにより、また必要に応じて所定の文字変換操作が行われることにより、所望の文字乃至は文（テキスト）が上記表示部６８に表示される。上記開始釦５６は、電話をかけたりメールを送信したりするための釦であり、上記表示部６８に所定の電話番号が表示されている際にその開始釦５６が押されることにより、その電話番号に電話をかけることができる。また、その表示部６８に所定のメールアドレスが表示されている際にその開始釦５６が押されることにより、そのメールアドレスにメールが送信される。上記電源釦５８は、通話を中止したり電源のオンオフを切り換えるための釦であり、通話中にその電源釦５８が押されることにより、その通話が中止される。また、電源がオフである際にその電源釦５８が一定時間押されることにより、電源がオンの状態となる一方、電源がオンである際にその電源釦５８が一定時間押されることにより、電源がオフの状態となる。上記移動釦６０は、上記表示部６８に表示されるカーソルを左右上下に移動させるため等に押される釦である。上記メール釦６２は、メール管理モードに入るため等に押される釦である。上記クリア釦６４は、上記表示部６８に表示された文字を消すため等に押される釦である。上記決定釦６６は、上記表示部６８に表示された内容で各種設定の項目を決定したり、文字変換を決定したりするため等に押される釦である。
【００２５】
図３は、前記携帯電話機５０の構成を説明するブロック線図である。この図３に示す制御部７０は、ＲＯＭ７２に予め記憶されたプログラムに従って入力信号を処理する所謂マイクロコンピュータであり、前記操作部５２からの入力に従って文字入力が実行されるように制御したり、その操作部５２から入力された電話番号に従って通信或いは通話チャンネルを成立させると共に相互の通信或いは通話が可能となるように制御したり、メールの作成及び送受信等の基本的な制御に加えて、前記カラオケ装置１０へのメッセージ送信制御を実行する。前記携帯電話機５０による通話状態においては、アンテナ７４を介して送受信部７６に受信した通話信号等がモデム部７８を介して音声コーディック部８０においてデジタルコード信号から音声信号に変換され、アナログフロントエンド８２により音声出力部であるスピーカ８４が駆動されて音声が出力される。同時に、音声入力部であるマイクロフォン８６により音声から変換された音声信号が上記アナログフロントエンド８２を介して上記音声コーディック部８０に送られてそこでデジタル信号に変換され、上記モデム部７８、送受信部７６、及びアンテナ７４を介して送信される。また、上記制御部７０は、前記操作部５２から入力された信号を通信先へ送信すると同時に、通信先から受信された信号を前記表示部６８に表示させる。また、着信があったと判定される場合には、記憶部（フラッシュＲＯＭ）８８に予め記憶された呼出音情報に基づいて所定の呼出音を上記スピーカ８４から出力させるようにメロディ発生器９０を駆動させたり、呼出音非出力モードにおいてはバイブレータ部９２を駆動させて振動を発生させたりする。また、前記携帯電話機５０には、前記リモコン４４と同様に前記カラオケ装置１０にリモコン信号を送信するためのリモコン送信部９４が設けられており、前記操作部５２から入力された文（テキスト）であるメッセージ、メッセージの表示タイミング、読上音声を生成するための音声データの指定、メッセージを出力させる際のＢＧＭ（Back Ground Music）の指定、メッセージの出力と相前後して前記カラオケ装置１０に演奏させる演奏曲の選曲番号等の情報を作成してそのカラオケ装置１０に入力し得るようになっている。
【００２６】
図４は、前記カラオケ装置１０のＣＰＵ２６の制御機能の要部を説明する機能ブロック線図である。この図４に示す読上音声生成手段１００は、前記携帯電話機５０により入力されたメッセージを前記ハードディスク３２の音声データベース４６に記憶された音声データに基づいて読み上げる読上音声を生成する。図５は、前記音声データベース４６を例示する図である。この図５に示すように、前記音声データベース４６には、「声優１（森繁レオ）」、「声優２（古館逸郎）」、「声優３（椎原めぐみ）」といった声優の音声、或いは「マッキーマウスの声」、「孫悟空の声」といったアニメのキャラクタ音声等にそれぞれ対応する複数種類の音声データが予め記憶されている。上記読上音声生成手段１００は、好適には、前記音声データベース４６に記憶された複数種類の音声データのうち前記携帯電話機５０により選択される何れか１種類の音声データに基づいてメッセージを読み上げる読上音声を生成する。この読上音声生成手段１００により生成されたメッセージの読上音声は、前記アンプミキサ１８において前記シンセサイザ４０から供給される所定のＢＧＭ等とミキシングされ、それらの信号が電気的に増幅されて前記スピーカ２０から出力される。また、好適には、所定の入力操作に応じて上記読上音声生成手段１００による読上音声の生成（オン）及び非生成（オフ）を切り換えることができる。
【００２７】
文字映像生成手段１０２は、前記携帯電話機５０により入力されたメッセージの文字映像（テロップ）を生成する。この文字映像生成手段１０２は、例えば、演奏曲の歌詞文字映像を生成するための歌詞文字映像生成手段が転用されるものであってもよい。斯かる文字映像生成手段１０２により生成されたメッセージの文字映像は、前記ＣＲＴコントローラ３６により出力され、前記ビデオミキサ１６においてそのＣＲＴコントローラ３６から出力される文字映像と、前記ディスクプレーヤ１４により再生される背景映像等とが合成されて前記映像表示装置１２に表示される。
【００２８】
タイミング指定手段１０４は、前記読上音声生成手段１００により生成された読上音声の出力タイミング及び文字映像生成手段１０２により生成された文字映像の出力タイミングを指定する。図６は、前記携帯電話機５０からリモコン信号を介して前記カラオケ装置１０に入力される情報を例示する図であり、図７は、その情報の作成に際して前記携帯電話機５０の表示部６８に表示されるメッセージ入力画面を例示する図である。この図６及び図７に示すように、前記携帯電話機５０では、一連の文を成す文字（テキスト）であるメッセージと共に、メッセージの表示タイミングの指定、読上音声を生成するための音声データの指定、メッセージを出力させる際のＢＧＭの指定、メッセージの出力と相前後して演奏する演奏曲の選曲番号等の情報を利用者の操作に応じて作成し、リモコン信号を介して前記カラオケ装置１０に入力できるようになっている。上記タイミング指定手段１０４は、好適には、前記携帯電話機５０により入力されたメッセージの読上音声及び文字映像が同期して出力されるようにそれらの出力タイミングを指定する。また、好適には、メッセージと共に前記携帯電話機５０により選択入力された演奏曲の曲前、曲間、及び曲後のうち何れかのタイミングでそのメッセージの読上音声及び文字映像が同期して出力されるようにそれらの出力タイミングを指定する。これにより、利用者の所望する演奏曲の出力に合わせてその演奏曲の曲前、曲間、及び曲後の何れかのタイミングで前記映像表示装置１２に図８に示すようなメッセージの文字映像が表示され、それと相前後して前記スピーカ２０からメッセージの読上音声及び所定のＢＧＭが出力される。
【００２９】
図９は、前記カラオケ装置１０のＣＰＵ２６によるメッセージ出力制御の要部を説明するフローチャートであり、所定の周期で繰り返し実行されるものである。
【００３０】
先ず、ステップ（以下の説明においてステップを省略する）Ｓ１において、前記携帯電話機５０からのリモコン信号が受信されたか否かが判断される。このＳ１の判断が否定されるうちは、判断が繰り返されることにより待機させられるが、Ｓ１の判断が肯定される場合には、前記タイミング指定手段１０４に対応するＳ２において、Ｓ１にて受信されたメッセージの読出音声及び文字映像の出力タイミングが指定される。次に、Ｓ３において、Ｓ２にて指定されたメッセージの読出音声の出力タイミングであるか否かが判断される。このＳ３の判断が否定される場合には、Ｓ５以下の処理が実行されるが、Ｓ３の判断が肯定される場合には、前記読上音声生成手段１００に対応するＳ４において、Ｓ１にて受信されたメッセージの読出音声が生成されて前記スピーカ２０から出力された後、Ｓ５において、Ｓ２にて指定されたメッセージの文字映像の出力タイミングであるか否かが判断される。このＳ５の判断が否定される場合には、Ｓ７以下の処理が実行されるが、Ｓ５の判断が肯定される場合には、前記文字映像生成手段１０２に対応するＳ６において、Ｓ１にて受信されたメッセージの文字映像が生成されて前記ＣＲＴコントローラ３６から出力され、前記映像表示装置１２に表示させられた後、Ｓ７において、メッセージ出力終了であるか否かが判断される。このＳ７の判断が否定される場合には、Ｓ３以下の処理が再び実行されるが、Ｓ７の判断が肯定される場合には、それをもって本ルーチンが終了させられる。
【００３１】
このように、本実施例によれば、音声を生成するための音声データを記憶する記憶装置であるハードディスク３２と、入力装置である携帯電話機５０により入力されたメッセージをそのハードディスク３２の音声データベース４６に記憶された音声データに基づいて読み上げる読上音声を生成する読上音声生成手段１００（Ｓ４）とを、含むことから、利用者が所望するメッセージを音声により出力させることができる。すなわち、送り手の気持ちを十分に伝えるメッセージを出力し得るカラオケ装置１０を提供することができる。
【００３２】
また、前記読上音声生成手段１００により生成された読上音声の出力タイミングを指定するタイミング指定手段１０４（Ｓ２）を含むものであるため、利用者が所望するタイミングでメッセージの読上音声を出力させることができ、更に好適に送り手の気持ちを伝えることができるという利点がある。
【００３３】
また、前記タイミング指定手段１０４は、前記携帯電話機５０により選択入力された演奏曲の曲前、曲間、及び曲後のうち何れかのタイミングで前記読上音声生成手段１００により生成された読上音声が出力されるようにその出力タイミングを指定するものであるため、選択された演奏曲の出力に合わせてメッセージの読上音声を出力させることができ、更に好適に送り手の気持ちを伝えることができるという利点がある。
【００３４】
また、前記携帯電話機５０により入力されたメッセージの文字映像を生成する文字映像生成手段１０２（Ｓ６）を含み、前記タイミング指定手段１０４は、その文字映像生成手段１０２により生成された文字映像の出力タイミングをも指定するものであるため、利用者が所望するタイミングでメッセージの文字映像を出力させることができ、更に好適に送り手の気持ちを伝えることができるという利点がある。
【００３５】
また、前記タイミング指定手段１０４は、前記読上音声生成手段１００により生成された読上音声及び文字映像生成手段１０２により生成された文字映像が同期して出力されるようにそれらの出力タイミングを指定するものであるため、利用者が所望するタイミングでメッセージの読上音声及び文字映像を同期して出力させることができ、更に好適に送り手の気持ちを伝えることができるという利点がある。
【００３６】
また、前記読上音声生成手段１００による読上音声の生成及び非生成を切り換え得るものであるため、利用者の所望に応じて文字映像のみによるメッセージを出力できるという利点がある。
【００３７】
また、リモコン送信部９４を備えた携帯電話機５０を入力装置として、そのリモコン送信部９４からリモコン信号により前記メッセージを送信し得るものであるため、利用者が使い慣れた携帯電話機５０により前記メッセージを入力できるという利点がある。
【００３８】
以上、本発明の好適な実施例を図面に基づいて詳細に説明したが、本発明はこれに限定されるものではなく、更に別の態様においても実施される。
【００３９】
例えば、前述の実施例では、前記リモコン送信部９４を備えた携帯電話機５０をメッセージの入力装置とするものであったが、例えば、前記リモコン４４に文字入力機能を付与して、そのリモコン４４をメッセージの入力装置とするものであっても構わない。
【００４０】
また、前述の実施例において、前記タイミング指定手段１０４は、前記携帯電話機５０により選択入力された演奏曲の曲前、曲間、及び曲後のうち何れかのタイミングで前記読上音声生成手段１００により生成された読上音声が出力されるようにその出力タイミングを指定するものであったが、拍手等のエフェクト音声のように入力装置からの信号送信に応じてリアルタイムにメッセージの文字映像を表示させると共に、必要に応じて音声による読み上げを行うものであっても構わない。
【００４１】
また、前述の実施例において、前記携帯電話機５０は、前記リモコン送信部９４からリモコン信号により前記カラオケ装置１０にメッセージを入力するものであったが、例えば、ブルートゥースモジュールを備えた携帯電話機５０からブルートゥース信号等によりメッセージを入力するものであっても構わない。この場合には、前記カラオケ装置１０の側にも同様にブルートゥースモジュールが設けられている必要がある。
【００４２】
また、前述の実施例では、前記携帯電話機５０のリモコン送信部９４からのリモコン信号が届く範囲内に設置されたカラオケ装置１０においてしかその携帯電話機５０により作成されたメッセージを出力させることはできなかったが、例えば、前記携帯電話機５０により作成されたメッセージを他の携帯電話機５０にメール等の機能を用いて送り、そのメールを受信した携帯電話機５０のリモコン送信部９４によりメッセージを入力させることで、遠隔地に設置されたカラオケ装置１０においてもメッセージを出力させることができる。
【００４３】
また、前述の実施例では、特に言及していないが、前記文字映像生成手段１０２は、複数種類のフォントのうちから前記メッセージの文字映像に適用する１種類のフォントを選択し得るものであってもよい。また、前記メッセージの文字映像と共に所定の映像（キャラクタの絵等）を前記映像表示装置１２に表示させるものであっても構わない。
【００４４】
その他、一々例示はしないが、本発明はその趣旨を逸脱しない範囲内において種々の変更が加えられて実施されるものである。
【図面の簡単な説明】
【００４５】
【図１】本発明の音楽再生装置の一実施例であるカラオケ装置の構成を説明するブロック線図である。
【図２】図１のカラオケ装置にメッセージを入力するための入力装置として機能する携帯電話機の操作部を説明する図である。
【図３】図２の携帯電話機の構成を説明するブロック線図である。
【図４】図１のカラオケ装置のＣＰＵの制御機能の要部を説明する機能ブロック線図である。
【図５】図１のカラオケ装置のハードディスクに設けられた音声データベースを例示する図である。
【図６】図２の携帯電話機からリモコン信号を介して図１のカラオケ装置に入力される情報を例示する図である。
【図７】図２の携帯電話機の表示部に表示されるメッセージ入力画面を例示する図である。
【図８】図１のカラオケ装置の映像表示装置に表示されるメッセージの文字映像を例示する図である。
【図９】図１のカラオケ装置のＣＰＵによるメッセージ出力制御の要部を説明するフローチャートである。
【符号の説明】
【００４６】
１０：カラオケ装置（音楽再生装置）
３２：ハードディスク（記憶装置）
５０：携帯電話機（入力装置）
９４：リモコン送信部
１００：読上音声生成手段
１０２：文字映像生成手段
１０４：タイミング指定手段
【図１】
2005266441.tif 000003
【図２】
2005266441.tif 000004
【図３】
2005266441.tif 000005
【図４】
2005266441.tif 000006
【図５】
2005266441.tif 000007
【図６】
2005266441.tif 000008
【図７】
2005266441.tif 000009
【図８】
2005266441.tif 000010
【図９】
2005266441.tif 000011